(57)【要約】デジタル放送波を受信する受信部と、受信部で受信したデジタル放送波のチャンネル番号を選局する選局部と、選局部から出力される信号を復調して特定の信号を取得できるか否かに基づき選局されたチャンネル番号にデジタル放送波が存在するか否かの仮判定を行う仮判定部から構成される複数のフロントエンドと、複数のフロントエンドのうちのひとつと接続され、該接続されたフロントエンドから出力される復調後のデジタル放送波から特定の情報を抽出する抽出部と、複数のフロントエンドの仮判定部によりデジタル放送波が存在すると仮判定されたチャンネル番号を記憶する記憶部と、抽出部と接続されたフロントエンドの選局部へ記憶部に記憶されたチャンネル番号を選局するよう指示する制御部とを備え、制御部は、抽出部に接続されたフロントエンドから出力される復調後のデジタル放送波から特定の情報を抽出している間に、他のフロントエンドの選局部へ次のチャンネル番号を選局するよう指示するようにした。
2009063578.tif 000002
【特許請求の範囲】
【請求項１】
デジタル放送波を受信する受信部と、前記受信部で受信したデジタル放送波のチャンネル番号を選局する選局部、前記選局部から出力される信号を復調して特定の信号を取得できるか否かに基づき選局されたチャンネル番号にデジタル放送波が存在するか否かの仮判定を行う仮判定部から構成される複数のフロントエンドと、
前記複数のフロントエンドのうちのひとつと接続され、該接続されたフロントエンドから出力される復調後のデジタル放送波から特定の情報を抽出する抽出部と、
前記複数のフロントエンドの仮判定部によりデジタル放送波が存在すると仮判定されたチャンネル番号を記憶する記憶部と、
前記抽出部と接続されたフロントエンドの選局部へ前記記憶部に記憶されたチャンネル番号を選局するよう指示する制御部と
を備え
前記制御部は、前記抽出部に接続されたフロントエンドから出力される復調後のデジタル放送波から特定の情報を抽出している間に、他のフロントエンドの選局部へ、次のチャンネル番号を選局するよう指示することを特徴とするデジタル放送受信装置。
【請求項２】
前記記憶部は、前記チャンネル番号と共に前記デジタル放送波に含まれる伝送信号パラメータを記憶し、
前記抽出部と接続されたフロントエンドの選局部は、前記記憶部に記憶された伝送信号パラメータに基づいて選局を行うことを特徴とする請求項１記載のデジタル放送受信装置。
【請求項３】
デジタル放送波を受信部で受信する第１のステップと、
前記第１のステップで受信したデジタル放送波のチャンネル番号を選局部で選局する第２のステップと、
前記第２のステップで選局されたチャンネル番号のデジタル放送波を復調して特定の信号を取得できるか否かに基づき、選局したチャンネル番号にデジタル放送波が存在するか否かを仮判定部で仮判定する第３のステップと、
前記第３ステップでデジタル放送波が存在すると仮判定されたチャンネル番号を記憶部へ記憶する第４のステップとを制御部からの指示に基づき、前記受信部、前記選局部及び前記仮判定部から構成される複数のフロントエンドで行い、
前記第４のステップで記憶されたチャンネル番号のデジタル放送波から特定の情報を抽出する第５のステップを前記複数のフロントエンドのうちの一つと接続された抽出部で行い、
前記第５のステップにて、デジタル放送波から特定の情報を抽出している間、前記制御部からの指示に基づき他のフロントエンドが、前記第１のステップから前記第４のステップの処理を進めることを特徴とするデジタル放送受信方法。
【請求項４】
前記第５のステップにて、デジタル放送波の受信電力が低い、又はデジタル放送波が存在しないと仮判定された場合、前記仮判定の期間を長くして再度仮判定を行うことを特徴とする請求項３記載のデジタル放送受信方法。
【請求項５】
前記第５のステップにて、デジタル放送波の受信電力が低い、又はデジタル放送波が存在しないと仮判定された場合、前記複数のフロントエンドで受信したデジタル放送波をダイバーシチ合成して再度仮判定を行うことを特徴とする請求項３記載のデジタル放送受信方法。
【発明の詳細な説明】
【技術分野】
【０００１】
この発明は、チャンネルスキャンに掛かる時間を短縮したデジタル放送受信装置及びデジタル放送受信方法に関する。
【背景技術】
【０００２】
近年、テレビ放送のデジタル化が急速に進み、既に全国の都道府県の県庁所在地においてデジタル放送が開始されている。これに伴い車両や携帯電話等の移動体に、デジタル放送受信装置を搭載した製品が多数販売され、移動しながらでもテレビ放送を楽しむことができるようになっている。しかし、デジタル放送波は、受信地域毎に受信できるチャンネル番号が異なるため、異なる受信地域へ移動した場合には、デジタル放送波の周波数帯であるチャンネルを順次スキャンして、受信可能なチャンネル番号を検出するチャンネルスキャンを行う必要があるが、該チャンネルスキャンは、ＵＨＦ（Ultra High Frequency）１３からＵＨＦ６２までの５０チャンネルを各チャンネル番号毎にＦＦＴ処理や同期確定等の処理を行い、受信可能なチャンネル番号を検出するため、非常に時間が掛かるという課題があった。【０００３】
このため、従来のデジタル放送受信装置には、受信したデジタル放送波を復調処理してＴＭＣＣ（Transmission and Multiplexing Configuration Control）信号が得られたか否かにより、選局したチャンネル番号にデジタル放送波が存在するか否か仮判定を行い、デジタル放送波が存在しないと仮判定された場合には、次のチャンネル番号の選局を行うことによりチャンネルスキャンに掛かる時間を短くしたものがある（例えば、特許文献１参照）。【０００４】
また、他のデジタル放送受信装置として、デジタル放送波を受信するチューナーと前記デジタル放送波を復調する復調部から構成される複数のフロントエンドを備え、チャンネルスキャンの対象となるチャンネルを前記複数のフロントエンドに均等に割り当て、受信可能なチャンネル番号を検出する処理をフロントエンド毎に並列して処理するようにしてチャンネルスキャンに掛かる時間を短くしたものがある（例えば、特許文献２参照）。【０００５】
【特許文献１】特開２００４−３６３８０６号公報
【特許文献２】特開２００３−３３３４４１号公報
【０００６】
従来のデジタル放送受信装置は上記のように構成されており、選局したチャンネル番号にデジタル放送波が存在するか否か仮判定を行うものは、デジタル放送波を受信するチューナーと前記デジタル放送波を復調する復調部から構成されるフロントエンドを２系統備えていても、各フロントエンドで受信した信号をダイバーシチ合成した後の信号を仮判定するため、個々のフロントエンドにおいて仮判定処理を並列に行うことができず、チャンネルスキャンに掛かる時間が十分に短縮されないという課題があった。また、フロントエンドを複数備えたものでは、一つしかないＴＳデコーダ部を、複数のフロントエンドと接続する必要があるため、前記複数のフロントエンドのうちから一つを選択してＴＳデコーダ部へ接続するＴＳ選択部が必要となり、デジタル放送受信装置の構成が複雑になるという課題があった。また、ＴＳ選択部の制御を行う必要があるため、チャンネルスキャン時における制御が複雑になるという課題があった。【０００７】
この発明は、上記のような課題を解決するためになされたもので、チャンネルスキャンに掛かる時間を短縮し、かつ構成を簡略化したデジタル放送受信装置及びデジタル放送受信方法を得ることを目的とする。
【発明の開示】
【０００８】
この発明に係るデジタル放送受信装置は、複数のフロントエンドのうちのひとつと接続された抽出部において、デジタル放送波に含まれる特定の情報を抽出している間に、他のフロントエンドにて仮判定の処理を進めることを特徴とする。
【０００９】
この発明によれば、複数のフロントエンドのうちのひとつと接続された抽出部において、デジタル放送波に含まれる特定の情報を抽出している間に、他のフロントエンドにて仮判定の処理を進めるように構成したので、チャンネルスキャンに掛かる時間を短縮し、かつ構成を簡略化できる効果がある。
【図面の簡単な説明】
【００１０】
【図１】この実施の形態１によるデジタル放送受信装置の構成図である。
【図２】この実施の形態１によるデジタル放送受信装置のチャンネルスキャン動作を説明した図である。
【図３】この実施の形態１によるデジタル放送受信装置のチャンネルスキャン動作を説明した図である。
【図４】この実施の形態１によるデジタル放送受信装置のチャンネルスキャン動作を説明した図である。
【発明を実施するための最良の形態】
【００１１】
以下、この発明をより詳細に説明するために、この発明を実施するための最良の形態について、添付の図面に従って説明する。
実施の形態１．
図１は、この実施の形態１によるデジタル放送受信装置を示した図であり、デジタル放送波の周波数帯（チャンネル）を順次スキャンして、受信可能なチャンネル番号を検出するチャンネルスキャン機能を有する。この実施の形態１によるデジタル放送受信装置は、受信部であるアンテナ１０及びアンテナ２０と、選局部であるチューナー１１及びチューナー２１と、仮判定部であるＯＦＤＭ（Orthogonal Frequency Division Multiplexing）復調部１２及びＯＦＤＭ復調部２２と、抽出部であるＴＳ（Transport Stream）デコーダ部３０と、制御部であるＣＰＵ（Central Processing Unit）３１とを備える。なお、チューナー１１及びＯＦＤＭ復調部１２は第１のフロントエンド１００を、チューナー２１及びＯＦＤＭ復調部２２は第２のフロントエンド２００をそれぞれ構成する。また、リモコン３２は、ユーザによる操作、例えばリモコン３２を受け付け、ＣＰＵ３１へチャンネルスキャンを指示する。【００１２】
アンテナ１０及びアンテナ２０は、デジタル放送波を受信して出力する。チューナー１１及びチューナー２１は、アンテナ１０及びアンテナ２０がそれぞれ受信したデジタル放送波のチャンネル番号を選局して出力する。ＯＦＤＭ復調部１２及びＯＦＤＭ復調部２２は、チューナー１１及びチューナー２１でそれぞれ選局されたチャンネル番号のデジタル放送波を復調して特定の信号、例えばＴＭＣＣ信号やＯＦＤＭフレーム同期信号、を検出できるか否かにより、選局されたチャンネル番号にデジタル放送波が存在するか否かの仮判定を行い、該結果をＣＰＵ３１へ出力する。また、ＯＦＤＭ復調部１２は、チューナー１１から出力される選局後のデジタル放送波を復調変換してＴＳ信号を出力する。【００１３】
ＴＳデコーダ部３０は、ＣＰＵ３１からの指示に基づきＯＦＤＭ復調部１２から出力されたＴＳ信号をデコード（復調）して特定の情報であるセクション情報（以下、ＮＩＴ情報）を取得し、該ＮＩＴ情報をＣＰＵ３１へ出力する。また、ＴＳデコーダ部３０は、ＴＳ信号をデコードして得られる映像信号及び音声信号を図示しない後段の処理部へ出力する。ＣＰＵ３１は、リモコン３２からの指示によりチャンネルスキャンを開始し、チューナー１１、チューナー２１、ＯＦＤＭ復調部１２及びＯＦＤＭ復調部２２の制御を行う。また、ＣＰＵ３１は、ＯＦＤＭ復調部２２からデジタル放送波有の仮判定が出力されると、チューナー２１で選局されているチャンネル番号を記憶する内部メモリ３１ａを備える。なお、チャンネルスキャンは、リモコン３２からの指示だけでなく、異なる受信地域へ移動して、デジタル放送波を受信できなくなった場合に、ＣＰＵ３１が自動で行うようにしてもよい。【００１４】
次に動作について説明する。
図２から図４は、この実施の形態１によるデジタル放送受信装置のチャンネルスキャン動作について説明した図である。なお、ここでは、１３チャンネル、１４チャンネル、１７チャンネル及び２２チャンネルにデジタル放送波が存在する場合について説明する。【００１５】
初めに、リモコン３２からチャンネルスキャンの指示があると、ＣＰＵ３１は、チャンネル１３からチャンネル６２までのチャンネルスキャンを開始する。
まず、ＣＰＵ３１は、チューナー１１へ１３チャンネルを、チューナー２１へ１４チャンネルを選局するようそれぞれ指示する。次に、チューナー１１により１３チャンネルが選局されると、ＯＦＤＭ復調部１２は、チューナー１１で選局された１３チャンネルにデジタル放送波が存在するか否かの仮判定を行う。ここでは、１３チャンネルにデジタル放送波が存在するので、ＯＦＤＭ復調部１２は、デジタル放送波を復調変換してＴＳ信号をＴＳデコーダ部３０へ出力すると共に、デジタル放送波有りの仮判定をＣＰＵ３１へ出力する。【００１６】
また、チューナー２１により１４チャンネルが選局されると、ＯＦＤＭ復調部２２は、１４チャンネルにデジタル放送波が存在するか否かの仮判定を行う。ここでは、１４チャンネルにデジタル放送波が存在するので、デジタル放送波有りの仮判定をＣＰＵ３１へ出力し、ＣＰＵ３１は、チューナー２１で選局されている１４チャンネルを内部メモリ３１ａに記憶する。次に、ＣＰＵ３１は、ＯＦＤＭ復調部１２からデジタル放送波有りの仮判定が通知されると、ＴＳデコーダ部３０へ１３チャンネルのデジタル放送波のＮＩＴ情報を取得するよう指示する。次に、ＴＳデコーダ部３０は該指示に基づき、ＯＦＤＭ復調部１２から出力されるＴＳ信号を復調してＮＩＴ情報の取得を開始する。なおＮＩＴ情報の取得には時間が掛かるため、この時間を利用して、ＣＰＵ３１は、ＯＦＤＭ復調部２２における仮判定の処理を進める。【００１７】
ＣＰＵ３１は、１４チャンネルを内部メモリに記憶すると、チューナー２１へ１５チャンネルを選局するよう指示し、チューナー２１は１５チャンネルを選局する。次に、チューナー２１により１５チャンネルが選局されると、ＯＦＤＭ復調部２２は、１５チャンネルにデジタル放送波が存在するか否かの仮判定を行い、デジタル放送波無しの仮判定をＣＰＵ３１へ出力する。ＣＰＵ３１、チューナー２１及びＯＦＤＭ復調部２２は、１６チャンネル、１７チャンネルについても同様に仮判定を行う。１７チャンネルには、デジタル放送波が存在することから、ＯＦＤＭ復調部２２は、デジタル放送波有りの仮判定をＣＰＵ３１へ出力し、ＣＰＵ３１は、１７チャンネルを内部メモリ３１ａに記憶する。【００１８】
次に、ＴＳデコーダ部３０でのＮＩＴ情報の取得が完了し、ＴＳデコーダ部３０から１３チャンネルのデジタル放送波のＮＩＴ情報が出力されると、ＣＰＵ３１は、内部メモリ３１ａに記憶された１４チャンネルを読み出して、チューナー１１に１４チャネルを選局するように指示すると共に、チューナー２１へ１８チャンネルを選局するように指示する。なお、ＣＰＵ３１は、１４チャンネルを読み出した後、メモリ３１ａから１４チャンネルを消去する。次に、チューナー１１により１４チャンネルが選局されると、ＯＦＤＭ復調部１２は、１４チャンネルにデジタル放送波が存在するか否かの仮判定を行う。ここでは、１４チャンネルにデジタル放送波が存在するので、ＯＦＤＭ復調部１２は、ＴＳ信号をＴＳデコーダ部３０へ出力すると共に、デジタル放送波有りの仮判定をＣＰＵ３１へ出力する。なお、この場合、ＣＰＵ３１は、１４チャンネルを内部メモリ３１ａへ記憶しない。【００１９】
次に、チューナー２１により１８チャンネルが選局されると、ＯＦＤＭ復調部２２は、１８チャンネルにデジタル放送波が存在するか否かの仮判定を行い、デジタル放送波無しの仮判定をＣＰＵ３１へ出力する。次に、ＣＰＵ３１は、ＯＦＤＭ復調部１２からデジタル放送波有りの仮判定が通知されると、ＴＳデコーダ部３０へ１４チャンネルのＮＩＴ情報を取得するよう指示する。次に、ＴＳデコーダ部３０は該指示に基づき、ＯＦＤＭ復調部１２から出力されるＴＳ信号を復調してＮＩＴ情報の取得を開始する。また、ＣＰＵ３１は、１４チャンネルのＮＩＴ情報を取得するまでの時間を利用して、１９チャンネルから２１チャンネルについても同様にデジタル放送波無しの仮判定の処理を進める。【００２０】
以下、同様にして、ＣＰＵ３１は、ＴＳデコーダ部３０で１７チャンネルのＮＩＴ情報を取得している間に、ＯＦＤＭ復調部２２で、２２チャンネルから２６チャンネルまでの仮判定を行い、さらに、ＴＳデコーダ部３０で２２チャンネルのＮＩＴ情報を取得している間に、ＯＦＤＭ復調部２２で、２７チャンネルから６２チャンネルまでの仮判定を行いその動作を終了する。【００２１】
以上のように、この実施の形態１によるデジタル放送受信装置によれば、第１のフロントエンド１００及び第２のフロントエンド２００を備え、第１のフロントエンド１００と接続されたＴＳデコーダ部３０で、デジタル放送波に含まれるＮＩＴ情報を抽出している間に、第２のフロントエンド２００にて仮判定の処理を進めるように構成したので、第１のフロントエンド１００を構成するＯＦＤＭ復調部１２で仮判定をおこなうチャンネル番号数を削減することができ、スキャン時間を短縮することができるという効果がある。また、第２のフロントエンド２００では仮判定のみを行うようにしたので、ＴＳデコーダ部３０を第２のフロントエンド２００へ接続する必要が無く、ＯＦＤＭ復調部１２又はＯＦＤＭ復調部２２のいずれか一方を選択して接続するための選択手段を設ける必要がなく、かつ該選択手段の制御を行う必要もないため、デジタル放送受信装置の構成及び制御を簡略化できるという効果がある。【００２２】
また、この実施の形態１では、チューナー及びＯＦＤＭ復調部から構成されるフロントエンドを２系統備えた構成について説明したが、該フロントエンドを４系統、または６系統等、複数備えるようにしてもよい。この場合、複数あるフロントエンドのうちのひとつをＴＳデコーダ部３０に接続し、ＴＳデコーダ部３０でＮＩＴ情報を抽出している間に、他のフロントエンドで仮判定の処理を進めることにより、スキャン時間をさらに短縮できる効果がある。なお、この実施の形態１によるデジタル放送受信装置の通常時の動作では、ＯＦＤＭ復調部１２で復調されたデジタル放送波と、ＯＦＤＭ復調部２２で復調されたデジタル放送波とがダイバーシチ合成された後、ＴＳデコーダ部３０へ出力されるように構成されている。【００２３】
また、第２のフロントエンド２００にて選局されたチャンネル番号にデジタル放送波が存在するか否かの仮判定を行った際に、チャンネル番号と共にＩＳＤＢ−Ｔ放送方式の伝送信号パラメータも内部メモリ３１ａに記憶し、第１のフロントエンド１００にて、本判定、すなわち内部メモリ３１ａに記憶されたチャンネル番号のＮＩＴ情報を抽出するときに、伝送信号パラメータの伝送モード、ガードインターバルを指定して、選局を行うようにしても良い。このように構成すれば、ＯＦＤＭフレーム同期時間を短縮することができ、さらにスキャン時間を短縮できる効果がある。【００２４】
また、第２のフロントエンド２００にてデジタル放送波が存在すると仮判定されたチャンネル番号を、第１のフロントエンド１００にて本判定する場合に、デジタル放送波の受信電力を判定し受信電力が低い、またはデジタル放送波が存在しないと仮判定されると仮判定期間を長くして、再度仮判定を行うか、第２のフロントエンド２００での仮判定処理を一旦中止し、第１のフロントエンド１００及び第２のフロントエンド２００で受信したデジタル放送波をダイバーシチ合成して、本判定を行うようにしても良い。このように構成すれば、移動により電波環境が変化した場合でもデジタル放送波の取りこぼしを防ぐことができ、精度を重視したチャンネルスキャンを実施できるという効果がある
【産業上の利用可能性】
【００２５】
以上のように、この発明に係るデジタル放送受信装置及びデジタル放送受信方法は、複数のフロントエンドのうちのひとつと接続された抽出部において、デジタル放送波に含まれる特定の情報を抽出している間に、他のフロントエンドにて仮判定の処理を進めて、チャンネルスキャンに掛かる時間を短縮できるように構成したので、デジタル放送を受信可能な車載端末や、携帯電話等の移動体端末装置などに用いるのに適している。
【図１】
2009063578.tif 000003
【図２】
2009063578.tif 000004
【図３】
2009063578.tif 000005
【図４】
2009063578.tif 000006
【国際調査報告】
2009063578.tif 000007
2009063578.tif 000008
2009063578.tif 000009